(57)【要約】【課題】祖供養専用箱に収容された祖供養物品を外部から容易に視認することができるようにすること。【解決手段】祖供養物品を収容する左右一対の箱本体と、両箱本体を連結する連結片とを具備して、同連結片を中心にして左右一対の箱本体を並列させた展開位置と、両箱本体の背面同士を背中合わせ状態に重合させた折畳位置とに位置変更自在となすと共に、各箱本体の正面側に、内部に収容した祖供養物品を視認可能な視認窓を形成した。従って、左右一対の箱本体を展開位置と折畳位置のいずれに配置した場合でも、各箱本体の正面側に形成した視認窓を通して内部に収容した祖供養物品を容易に視認することができる。【選択図】図２
0003120444.tif 000002
【実用新案登録請求の範囲】
【請求項１】
祖供養物品を収容する左右一対の箱本体と、両箱本体を連結する連結片とを具備して、同連結片を中心にして左右一対の箱本体を並列させた展開位置と、両箱本体の背面同士を背中合わせ状態に重合させた折畳位置とに位置変更自在となすと共に、各箱本体の正面側に、内部に収容した祖供養物品を視認可能な視認窓を形成したことを特徴とする祖供養専用箱。
【考案の詳細な説明】
【技術分野】
【０００１】  本考案は、葬儀の会葬者に贈るハンカチーフ等の祖供養物品を専用に収容するための箱に関する。
【背景技術】
【０００２】  従来、祖供養専用箱として、扁平な四角形箱に形成して、内部にハンカチーフ等の祖供養物品を収容可能としたものがある。（例えば、特許文献１参照）。
【特許文献１】      実用新案登録第３００９２９５号公報
【考案の開示】
【考案が解決しようとする課題】
【０００３】  ところが、上記した祖供養専用箱では、内部に収容された祖供養物品が何かを確認するためには、逐一、祖供養専用箱から祖供養物品を取り出さなければならないという煩雑さがあった。
【課題を解決するための手段】
【０００４】  そこで、本考案では、祖供養物品を収容する左右一対の箱本体と、両箱本体を連結する連結片とを具備して、同連結片を中心にして左右一対の箱本体を並列させた展開位置と、両箱本体の背面同士を背中合わせ状態に重合させた折畳位置とに位置変更自在となすと共に、各箱本体の正面側に、内部に収容した祖供養物品を視認可能な視認窓を形成したことを特徴とする祖供養専用箱を提供するものである。
【考案の効果】
【０００５】  本考案に係る祖供養専用箱は、祖供養物品を収容する左右一対の箱本体と、両箱本体を連結する連結片とを具備して、同連結片を中心にして左右一対の箱本体を並列させた展開位置と、両箱本体の背面同士を背中合わせ状態に重合させた折畳位置とに位置変更自在となすと共に、各箱本体の正面側に、内部に収容した祖供養物品を視認可能な視認窓を形成しているため、左右一対の箱本体を展開位置と折畳位置のいずれに配置した場合でも、各箱本体の正面側に形成した視認窓を通して内部に収容した祖供養物品を容易に視認することができる。【０００６】  従って、かかる祖供養専用箱に収容された祖供養物品を贈られた人は、その祖供養物品がすぐに使用したい物であるのか否かを、視認窓を通して速やかに視認することができて、すぐに使用したい物であれば、すぐに取り出して使用することができる一方、取り敢えず必要のない物であれば、そのまま収納等することができる。
【考案を実施するための最良の形態】
【０００７】  図１は、本考案に係る祖供養専用箱Ａの展開位置における正面図、図２は、同祖供養専用箱Ａの折畳位置における斜視図、及び、図３は、同祖供養専用箱Ａの展開説明図である。【０００８】  以下に、本考案に係る祖供養専用箱Ａの構成を、図１〜図３を参照しながら説明する。【０００９】  すなわち、祖供養専用箱Ａは、図１及び図２に示すように、ハンカチーフ等の祖供養物品（図示せず）を収容する左右一対の箱本体１，２と、両箱本体１，２を連結する連結片３とを具備して、同連結片３を中心にして左右一対の箱本体１，２を並列させた展開位置（図１参照）と、両箱本体１，２の背面同士を背中合わせ状態に重合させた折畳位置（図２参照）とに位置変更自在となすと共に、各箱本体１，２の正面側に、内部に収容した祖供養物品を視認可能な視認窓４，５を形成している。【００１０】  そして、左右一対の箱本体１，２と連結片３は、図３に示すように、一枚の厚紙を折り曲げて一体成形するようにしている。【００１１】  各箱本体１，２は、上下縦長四角形状に形成した正面部形成片６，７と、各正面部形成片６，７の外側縁部に折り曲げ自在に接続して上下縦長四角形状に形成した外側面部形成片８，９と、各外側面部形成片８，９の外側縁部に折り曲げ自在に接続して上記各正面部形成片６，７と同形状に形成した背面部形成片１０，１１と、各背面部形成片１０，１１の外側縁部に折り曲げ自在に接続して上記各外側面部形成片８，９と同形状に形成した内側面部形成片１２，１３と、各内側面部形成片１２，１３の外側縁部に折り曲げ自在に接続して上下縦長四角形状に形成した折り返し重合片１４，１５とを、左右方向に連続させて一体成形している。【００１２】  しかも、各正面部形成片６，７の上端縁部には、左右横長四角形状に形成した上部折り込み蓋片１６，１７を折り曲げ自在に接続し、各上部折り込み蓋片１６，１７の上端縁部に、左右横長四角形状に形成した上部差し込み片１８，１９を折り曲げ自在に接続して一体成形している。【００１３】  一方、各正面部形成片６，７の下端縁部には、左右横長四角形状に形成した下部折り込み蓋片２０，２１を折り曲げ自在に接続し、各上部折り込み蓋片２０，２１の下端縁部に、左右横長四角形状に形成した下部差し込み片２２，２３を折り曲げ自在に接続して一体成形している。【００１４】  さらには、各外側面部形成片８，９と各内側面部形成片１２，１３の上下端縁部には、それぞれ折り曲げ片２４〜３１を折り曲げ自在に接続して一体成形している。【００１５】  また、前記した視認窓４，５は、各正面部形成片６，７の略中央部に四角形状に開口させて形成している。なお、視認窓４，５には、必要に応じて透明ないしは半透明のフィルム等を張設することができる。【００１６】  連結片３は、各外側面部形成片８，９の左右幅の和と同一の左右幅を有し、かつ、各正面部形成片６，７の縦幅と同一の縦幅を有する縦長四角形状に形成して、左側縁部を左側の正面部形成片６の右側縁部に折り曲げ自在に接続する一方、右側縁部を右側の正面部形成片６の左側縁部に折り曲げ自在に接続して一体成形している。【００１７】  このようにして、本実施の形態に係る祖供養専用箱Ａは、各形成片を所定の方向��折り曲げることにより、左右一対の箱本体１，２を連結片３を介して連結した状態に組み立てることができると共に、各箱本体１，２を、図１に示す展開位置と、図２に示す折畳位置とに位置変更することができ、しかも、各箱本体１，２を、いずれの位置に配置した場合でも、各箱本体１，２の各正面部形成片６，７に形成した視認窓４，５が外側方に位置するようにしているため、各視認窓４，５を通して内部に収容した祖供養物品を容易に視認することができる。
【図面の簡単な説明】
【００１８】
【図１】  本考案に係る祖供養専用箱の展開位置における正面図。
【図２】  同祖供養専用箱の折畳位置における斜視図。
【図３】  同祖供養専用箱の展開説明図。
【符号の説明】
【００１９】  Ａ  祖供養専用箱
１  左側の箱本体
２  右側の箱本体
３  連結片
４  左側の視認窓
５  右側の視認窓
【図１】
0003120444.tif 000003
【図２】
0003120444.tif 000004
【図３】
0003120444.tif 000005